(57)【要約】【課題】環境を考慮に入れて分析した顧客の客観的な肌状態に基づいて、顧客が店員からアドバイスを受けながら自分に合った化粧品を納得して選定することを支援できるようにする。【解決手段】肌状態測定装置により測定された肌状態を表す測定データと、肌状態の測定環境を表す環境データと、あらかじめ設定された複数の閾値とに基づいて、測定データにより表される肌状態の絶対値を、環境データおよび複数の閾値により相対的な段階評価値に置換する肌状態分析部３２を備え、環境によって変わり得る肌状態の測定データ（絶対値）を相対的な段階評価値に置換し、その段階評価値に基づいて肌状態の分析結果を表示することにより、測定環境が考慮されていない測定データの絶対値だけでは分からない真の肌状態を、相対評価の結果として分かりやすく提示することができるようにする。【選択図】図２
2016146923.tif 000002
【特許請求の範囲】
【請求項１】
肌の状態を測定し、肌状態を表す測定データを出力する肌状態測定装置と、
上記肌状態測定装置より出力された肌状態の測定データを分析する分析サーバ装置と、
上記分析サーバ装置による分析の結果を表示する端末とを備え、
上記端末は、
上記肌状態測定装置より出力された肌状態の測定データを入力する測定データ入力部と、
上記肌状態の測定環境を表す環境データを入力する環境データ入力部と、
上記測定データ入力部により入力された上記測定データおよび上記環境データ入力部により入力された上記環境データを上記分析サーバ装置に送信して肌状態の分析を要求する分析要求部と、
上記分析サーバ装置から送信されてきた肌状態の分析結果を表す分析データを受信する分析データ受信部と、
上記分析データ受信部により受信された分析データに基づいて、上記肌状態の分析結果を表示させる分析結果表示部とを備え、
上記分析サーバ装置は、
上記端末から送信された上記測定データおよび上記環境データを受信して上記肌状態の分析の要求を受け付ける分析要求受付部と、
上記分析要求受付部により受信された上記測定データおよび上記環境データと、あらかじめ設定された複数の閾値とに基づいて、上記測定データにより表される肌状態の絶対値を、上記環境データおよび上記複数の閾値により相対的な段階評価値に置換する肌状態分析部と、
上記肌状態分析部により分析された上記段階評価値を上記分析データとして上記端末に送信する分析データ送信部とを備えたことを特徴とする肌分析システム。
【請求項２】
上記肌状態分析部は、上記環境データに基づいて上記測定データを補正し、補正された測定データと上記複数の閾値とを比較して、上記測定データにより表される肌状態の絶対値を上記段階評価値に置換することを特徴とする請求項１に記載の肌分析システム。
【請求項３】
上記環境データは、上記肌状態測定装置によって上記肌の状態を測定する際の短期的な環境を表す短期環境データと、上記肌状態測定装置によって上記肌の状態を測定する際を含めて長期的な環境を表す長期環境データとを含み、
上記肌状態分析部は、上記短期環境データをパラメータとする関数と、上記長期環境データをパラメータとする関数とを含む補正式に従って、上記環境データに基づいて上記測定データを補正することを特徴とする請求項２に記載の肌分析システム。
【請求項４】
上記肌状態分析部は、上記環境データに基づいて上記複数の閾値を補正し、補正された複数の閾値と上記測定データとを比較して、上記測定データにより表される肌状態の絶対値を上記段階評価値に置換することを特徴とする請求項１に記載の肌分析システム。
【請求項５】
上記分析結果表示部は、上記測定データまたはその補正データに加えて、上記肌状態分析部による分析の結果を表示させることを特徴とする請求項１〜４の何れか１項に記載の肌分析システム。
【請求項６】
上記分析結果表示部は、上記測定データまたはその補正データを数値として表示するとともに、上記肌状態分析部により分析された上記段階評価値に基づいて上記数値の背景を色分けまたはパターン分けして表示させることを特徴とする請求項５に記載の肌分析システム。
【請求項７】
肌状態測定装置により測定された肌状態を表す測定データを取得する測定データ取得部と、
上記肌状態の測定環境を表す環境データを取得する環境データ取得部と、
上記測定データにより表される肌状態の絶対値を、上記環境データおよびあらかじめ設定された複数の閾値により相対的な段階評価値に置換する肌状態分析部と、
上記肌状態分析部により分析された上記段階評価値を、上記肌状態の分析結果を表示させるために出力する分析結果出力部とを備えたことを特徴とする肌分析装置。
【請求項８】
肌状態測定装置により測定された肌状態を表す測定データを取得する測定データ取得手段、
上記肌状態の測定環境を表す環境データを取得する環境データ取得手段、
上記測定データにより表される肌状態の絶対値を、上記環境データおよびあらかじめ設定された複数の閾値により相対的な段階評価値に置換する肌状態分析手段、および
上記肌状態分析手段により分析された上記段階評価値を、上記肌状態の分析結果を表示させるために出力する分析結果出力手段
としてコンピュータを機能させるためのコンピュータ読み取り可能な肌分析用プログラム。
【発明の詳細な説明】
【技術分野】
【０００１】
本発明は、肌分析システム、肌分析装置および肌分析用プログラムに関し、特に、顧客の肌の状態を分析し、その分析結果を提示するシステムに用いて好適なものである。
【背景技術】
【０００２】
通常、市販されている多種多様な化粧品の中から、自分に適したものを見極めるのは、一般の人にとっては非常に難しい作業である。そこで、化粧品売り場の店員が、顧客の肌の状態を目視等により確認したり、顧客から肌の状態をヒアリングしたりして、どの化粧品が適しているかをアドバイスすることが行われている。しかしながら、このような目視やヒアリングに基づくアドバイスは、店員の個人的な経験や恣意によるところが大きく、客観性に欠ける。
【０００３】
これに対して、従来、水分量や油分量を測定して顧客の肌状態を分析し、その分析結果を提示することにより、店員が顧客にとって最適な化粧品等を選定しアドバイスすることを支援できるようにしたシステムが考案されている（例えば、特許文献１参照）。
【０００４】
特許文献１に記載の肌分析システムでは、皮膚の脂肪分の多少を分析する脂分分析テープを顧客の肌に押し当てて得られる脂分分析試料と、皮膚の保水機能を分析する保水機能分析テープを顧客の肌に押し当てて得られる水分分析試料とを撮像し、これによって得られた２種類の画像データを顧客端末からホスト装置に送信する。ホスト装置は、この２種類の画像データを解析して肌分析を行い、その結果を顧客端末に返信する。
【０００５】
具体的には、ホスト装置は、顧客端末から送られてきた２種類の画像データについて、黒い部分と白い部分との比率、または着色部分とそれ以外の部分との比率から、それぞれ、３段階に分けて判定する。その上で、両者を組み合わせて、水分と脂分のバランスを示す３×３のマトリックスとして、９個の組み合わせカテゴリのいずれかに顧客の肌状態を分類する。
【０００６】
ホスト装置は、これに加えてさらに、顧客端末から顧客の年齢、顧客の居住地域、データを採取した季節（四季）のデータを送ってもらい、これらを含めて総合的な肌分析を行う。人間の肌は、年齢が増すとともに柔軟性がなくなったり、皮膚の厚みが薄くなったり、皮膚に張りがなくなるといった問題が起こる。また、季節の移り変わりや居住地域によっては、温度湿度の影響が肌に及んで、肌の水分、脂分のバランスにも変化が生じる。
【０００７】
そこで、水分と脂分のバランスを示す９個の組み合わせのカテゴリと、年齢、居住地域、季節（四季）に関する３つの分類データとを組み合わせて、顧客の肌状態を２５２０のカテゴリに分類する。ホスト装置は、この各々のカテゴリに対して、肌の状況と、肌の手入れ方法と、好ましい化粧品などを示すコメントを用意しており、これらから必要なものを選んで、顧客端末に送り、表示させる。
【０００８】
なお、肌状態の測定データと、そのときの環境を表す環境データとから肌状態の診断を行うシステムは、例えば特許文献２にも開示されている。特許文献２に記載の肌状態検知装置では、肌状態測定部と環境測定部とからそれぞれ測定データと空気環境データが入力されると、症状診断部は、[表皮]、[水分]、[血流]、[線維組織]、[皮脂]データと、そのときの空気環境である[気温]、[湿度]のデータとから、一般的な肌についての理論に基づいて、使用者のそのときの肌状態を診断する。一般的な肌についての理論とは、表皮が荒れていることから、皮膚刺激に高感受である、あるいは乾燥に弱いということや、線維組織が乱れていることから、紫外線に高感受であるというような、肌に関する専門知識を指す。
【先行技術文献】
【特許文献】
【０００９】
【特許文献１】特開２００４−３５４２０７号公報
【特許文献２】特開２００５−２７３９８１号公報
【発明の概要】
【発明が解決しようとする課題】
【００１０】
上記特許文献１に記載のシステムによれば、顧客の肌状態を表す測定データだけでなく、顧客の居住地域や季節といった環境データも考慮に入れて化粧品を選定するため、顧客の肌の現在の状態を客観的に精度よく分析し、その分析結果に従って顧客にとって最適な化粧品を選定することができる。
【００１１】
しかしながら、そのために２５２０もの多くのカテゴリが必要となり、そのカテゴリ毎に最適な化粧品を割り当てたマスタデータを作成しなければならず、その作成に多くの手間と時間がかかるという問題があった。特に、化粧品は次々に新商品が出されることも多く、そのたびにマスタデータのメンテナンスが必要になるという問題があった。
【００１２】
また、上記特許文献１に記載のシステムでは、肌の診断結果に基づいて選定される化粧品がマスタデータによってあらかじめ決められており、選定される化粧品が画一的になる。肌の客観的な測定データに基づく化粧品の選定ではあるものの、顧客からしてみれば、システムによってどのような判定基準に従って化粧品の選定が行われているかが分からない。そのため、肌の診断結果に基づき店員からアドバイスを受けながら自分に合った化粧品を購入したいと考える顧客には、満足のいく化粧品の選定を必ずしも行うことができないという問題があった。
【００１３】
なお、特許文献２には、肌状態の測定データと空気環境データとから肌状態の診断を行うことが開示されているが、一般的な肌についての理論（肌に関する専門知識）に基づいて肌状態を診断することが説明されているのみで、空気環境データをどのように利用して診断を行うかの具体的な方法については何ら説明されていない。
【００１４】
本発明は、このような問題を解決するために成されたものであり、環境を考慮に入れて分析した顧客の客観的な肌状態に基づいて、顧客が店員からアドバイスを受けながら自分に合った化粧品を納得して選定することを支援できるようにすることを目的とする。
【課題を解決するための手段】
【００１５】
上記した課題を解決するために、本発明では、肌状態測定装置により測定された肌状態を表す測定データと、肌状態の測定環境を表す環境データと、あらかじめ設定された複数の閾値とに基づいて、測定データにより表される肌状態の絶対値を、環境データおよび複数の閾値により相対的な段階評価値に置換し、置換した段階評価値に基づいて肌状態の分析結果を表示させるようにしている。
【発明の効果】
【００１６】
上記のように構成した本発明によれば、肌状態の測定時における環境によって変わり得る肌状態の測定データ（絶対値）が、そのときの環境データと複数の閾値とに基づいて相対的な段階評価値に置換され、その段階評価値に基づいて肌状態の分析結果が表示されるので、測定環境が考慮されていない測定データの絶対値だけでは分からない真の肌状態が、相対評価の結果として分かりやすく提示されることとなる。これにより、この提示を確認した店員が、測定時の環境を考慮に入れて分析した顧客の客観的な肌状態に基づいて、顧客に合った化粧品に関する適切なアドバイスを行うことができる。したがって、顧客は、店員からのアドバイスを受けながら、自分に合った化粧品を納得して選定することができる。
【図面の簡単な説明】
【００１７】
【図１】本実施形態による肌分析システムの全体構成例を示す図である。
【図２】本実施形態の店舗端末および分析サーバ装置が備える機能構成例を示すブロック図である。
【図３】水分に関する補正式で使われる補正パラメータの一例を示す図である。
【図４】油分に関する補正式で使われる補正パラメータの一例を示す図である。
【図５】５段階評価の色分けまたはパターン分けの例を示す図である。
【図６】５段階評価の具体的な表示例を示す図である。
【図７】５段階評価の他の表示例を示す図である。
【図８】本実施形態の変形例に係る店舗端末が備える機能構成例を示すブロック図である。
【発明を実施するための形態】
【００１８】
以下、本発明の一実施形態を図面に基づいて説明する。図１は、本実施形態による肌分析システムの全体構成例を示す図である。図１に示すように、本実施形態および肌分析システムは、水分測定器１０Ａ、油分測定器１０Ｂ、店舗端末２０および分析サーバ装置３０を備えて構成されている。店舗端末２０と分析サーバ装置３０との間は、インターネットあるいはＬＡＮなどの通信ネットワーク５０を介して接続されている。
【００１９】
水分測定器１０Ａおよび油分測定器１０Ｂは、特許請求の範囲の肌状態測定装置に相当するものである。水分測定器１０Ａは、肌の水分に関する状態を測定し、肌の水分状態を表す測定データを出力する。本実施形態では、水分測定器１０Ａは、肌の表層における水分量と深層における水分量とを測定できるタイプであり、それらの測定データを出力する。油分測定器１０Ｂは、肌の油分に関する状態を測定し、肌の油分状態を表す測定データを出力する。本実施形態では、油分測定器１０Ｂは、肌の表層における油分量を測定できるタイプであり、その測定データを出力する。
【００２０】
なお、ここでは、水分測定器１０Ａと油分測定器１０Ｂとを別に備え、これらによって肌の水分量と油分量とを個別に測定する例について説明しているが、本発明はこれに限定されない。例えば、肌の水分量と油分量とを同時に測定可能な測定器を用いるようにしてもよい。
【００２１】
店舗端末２０は、水分測定器１０Ａおよび油分測定器１０Ｂから測定データを入力し、それを分析サーバ装置３０に送信して肌状態の分析を要求する。そして、店舗端末２０は、分析サーバ装置３０による分析の結果を受信して、図示しないディスプレイに表示する。分析サーバ装置３０は、店舗端末２０から送信された肌状態の測定データを分析し、その結果を店舗端末２０に返信する。本実施形態において、分析サーバ装置３０は、特許請求の範囲の肌分析装置に相当する。
【００２２】
本実施形態では、以下に詳しく説明するように、分析サーバ装置３０は、肌状態を表す測定データと、肌状態の測定環境を表す環境データと、あらかじめ設定された複数の閾値とに基づいて、測定データにより表される肌状態の絶対値を、環境データおよび複数の閾値により相対的な段階評価値に置換し、置換した段階評価値を分析データとして店舗端末２０に送信する。
【００２３】
図２は、本実施形態の店舗端末２０および分析サーバ装置３０が備える機能構成例を示すブロック図である。図２に示すように、店舗端末２０は、その機能構成として、測定データ入力部２１、環境データ入力部２２、分析要求部２３、分析データ受信部２４および分析結果表示部２５を備えている。また、分析サーバ装置３０は、その機能構成として、分析要求受付部３１、肌状態分析部３２および分析データ送信部３３を備えている。
【００２４】
なお、店舗端末２０の各機能ブロック２１〜２５は、ハードウェア、ＤＳＰ（Digital Signal Processor）、ソフトウェアの何れによっても構成することが可能である。例えばソフトウェアによって構成する場合、上記各機能ブロック２１〜２５は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２５】
同様に、分析サーバ装置３０の各機能ブロック３１〜３３も、ハードウェア、ＤＳＰ、ソフトウェアの何れによっても構成することが可能である。例えばソフトウェアによって構成する場合、上記各機能ブロック３１〜３３は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２６】
店舗端末２０の測定データ入力部２１は、水分測定器１０Ａおよび油分測定器１０Ｂより出力された肌状態の測定データ（表層水分量、深層水分量および油分量）を入力する。そして、入力した測定データを分析要求部２３および分析結果表示部２５に出力する。
【００２７】
環境データ入力部２２は、肌状態の測定環境を表す環境データを入力する。そして、入力した環境データを分析要求部２３に出力する。ここで入力する環境データは、肌水分の測定データに影響を与え得る水分関連環境データと、肌油分の測定データに影響を与え得る油分関連環境データとを含む。
【００２８】
水分関連環境データは、肌状態を測定する際を含めて長期的な環境を表す長期環境データと、肌状態を測定する際の短期的な環境を表す短期環境データとを含む。長期環境データは、例えば、季節、地域に関するデータである。また、短期環境データは、例えば、気温、湿度、天気、気圧に関するデータである。これらの長期環境データおよび短期環境データは、店舗端末２０を操作する店員が、店舗端末２０のキーボードやマウスなどの操作デバイスを用いて入力する。なお、気温、湿度、気圧のように計器によって測定可能なデータについては、これらの計器で測定されたデータを入力するようにしてもよい。
【００２９】
油分関連環境データも、肌状態を測定する際を含めて長期的な環境を表す長期環境データと、肌状態を測定する際の短期的な環境を表す短期環境データとを含む。長期環境データは、例えば、季節、地域に関するデータである。また、短期環境データは、例えば、気温、湿度、洗顔からの時間、日照、食事（脂っこいもの）に関するデータである。これらの長期環境データおよび短期環境データは、店舗端末２０を操作する店員が、店舗端末２０のキーボードやマウスなどの操作デバイスを用いて入力する。なお、気温、湿度のように計器によって測定可能なデータについては、これらの計器で測定されたデータを入力するようにしてもよい。
【００３０】
分析要求部２３は、測定データ入力部２１により入力された測定データと、環境データ入力部２２により入力された環境データとを分析サーバ装置３０に送信して肌状態の分析を要求する。分析データ受信部２４は、分析要求に対する応答として分析サーバ装置３０から送信されてきた肌状態の分析結果を表す分析データを受信する。分析結果表示部２５は、分析データ受信部２４により受信された分析データに基づいて、肌状態の分析結果をディスプレイに表示させる。
【００３１】
分析サーバ装置３０の分析要求受付部３１は、店舗端末２０から送信された測定データおよび環境データを受信して肌状態の分析の要求を受け付ける。この分析要求受付部３１は、特許請求の範囲の測定データ取得部および環境データ取得部に相当する。
【００３２】
肌状態分析部３２は、分析要求受付部３１により受信された測定データおよび環境データと、あらかじめ設定された複数の閾値とに基づいて、測定データにより表される肌状態の絶対値を、環境データおよび複数の閾値により相対的な段階評価値に置換する。
【００３３】
本実施形態では、肌状態分析部３２は、環境データに基づいて測定データを補正し、補正された測定データと複数の閾値とを比較して、測定データにより表される肌状態の絶対値を段階評価値に置換する。測定データの補正は、長期環境データをパラメータとする関数と、短期環境データをパラメータとする関数とを含む以下の補正式に従って行う。
【００３４】
【数１】
2016146923.tif 000003
【００３５】
ここで、式１は水分に関する補正式（表層水分および深層水分の両方に共通）を示し、式２は油分に関する補正式を示している。式１において、Ｍtは補正後の水分量、Ｍmは補正前の水分量（水分測定器１０Ａによる測定値であり、分析要求受付部３１により受信された測定データにより示されるもの）、αiは長期環境データに関する補正パラメータ、βiは短期環境データに関する補正パラメータである。
【００３６】
また、式２において、Ｓtは補正後の油分量、Ｓmは補正前の油分量（油分測定器１０Ｂによる測定値であり、分析要求受付部３１により受信された測定データにより示されるもの）、γiは長期環境データに関する補正パラメータ、ωiは短期環境データに関する補正パラメータである。
【００３７】
図３は、水分（表層水分および深層水分）に関する補正式で使われる長期環境データに関する補正パラメータαiおよび短期環境データに関する補正パラメータβｊの一例を示す図である。図３（ａ）および図３（ｂ）は、長期環境データの一例として季節、地域に関する補正パラメータα1，α2を示している。図３（ｃ）〜図３（ｆ）は、短期環境データの一例として気温、湿度、天気、気圧に関する補正パラメータβ1〜β4を示している。
【００３８】
一般に、湿度が大きくなるほど、汗の蒸発を妨げたり、肌近傍に水分子が多く存在していたりすることがあるので、水分量の補正値を小さくする。逆に、湿度が小さくなるほど、水分量の補正値を大きくする。すなわち、湿度が大きくなるほど値の小さい補正パラメータを設定し、湿度が小さくなるほど値の大きい補正パラメータを設定する。図３に示す補正パラメータα1，α2，β1〜β4は何れも、この観点から設定されている。
【００３９】
例えば、図３（ａ）に示す季節に関する補正パラメータα1は、環境データにより示される季節が冬の場合はα11、春の場合はα12、秋の場合はα13、夏の場合はα14（ただし、α11＞α12≧α13＞α14）とあらかじめ設定されている。一般に、季節に応じて平均的な湿度が異なる。そこで、一般的に湿度が最も小さくなる冬に対して最も値の大きい補正パラメータα11を設定し、湿度が最も大きくなる夏に対して最も値の小さい補正パラメータα14を設定し、春と秋はその中間の値の補正パラメータα12，α13を設定している。
【００４０】
なお、季節要因に関して月ごとの変化を考慮する場合、例えば、定数ａ，θと月のパラメータｍ（ｍ＝１〜１２）とを用いて、次の式によって季節に関する補正パラメータα1を算出するようにしてもよい。
α1＝ａ・ｓｉｎ｛（２π／１２）ｍ＋θ｝
【００４１】
また、図３（ｂ）に示す地域に関する補正パラメータα2は、環境データにより示される地域が関東より北の場合はα21、関東より南の場合はα22（ただし、α21＞α22）とあらかじめ設定されている。一般に、関東より北の地域は湿度が低めになるので値の大きい補正パラメータα21を設定し、関東より南の地域は湿度が高めになるので値の小さい補正パラメータα22を設定している。なお、ここでは地域を南北に２分しているが、３つ以上の地域に分けてもよい。また、太平洋側の地域と日本海側の地域とに２分するようにしてもよい。
【００４２】
また、図３（ｃ）に示す気温に関する補正パラメータβ1は、環境データにより示される気温に応じて、β11，β12，β13，β14，β15（ただし、β11＞β12＞β13＞β14＞β15）と５つの値があらかじめ設定されている。また、図３（ｄ）に示す湿度に関する補正パラメータβ2は、環境データにより示される湿度に応じて、β21，β22，β23，β24，β25（ただし、β21＞β22＞β23＞β24＞β25）と５つの値があらかじめ設定されている。
【００４３】
また、図３（ｅ）に示す天気に関する補正パラメータβ3は、環境データにより示される天気（雪、晴れ、曇り、雨）に応じて、β31，β32，β33，β34（ただし、β31＞β32＞β33＞β34）と４つの値があらかじめ設定されている。また、図３（ｆ）に示す気圧に関する補正パラメータβ4は、環境データにより示される気圧に応じて、β41，β42，β43，β44，β45（ただし、β41＞β42＞β43＞β44＞β45）と５つの値があらかじめ設定されている。
【００４４】
図４は、油分に関する補正式で使われる長期環境データに関する補正パラメータγiおよび短期環境データに関する補正パラメータωｊの一例を示す図である。図４（ａ）および図４（ｂ）は、長期環境データの一例として季節、地域に関する補正パラメータγ1，γ2を示している。図４（ｃ）〜図４（ｇ）は、短期環境データの一例として気温、湿度、洗顔からの時間、日照、食事（脂っこいもの）に関する補正パラメータω1〜ω5を示している。
【００４５】
例えば、図４（ａ）に示す季節に関する補正パラメータγ1は、環境データにより示される季節が冬の場合はγ11、春の場合はγ12、秋の場合はγ13、夏の場合はγ14（ただし、γ11＞γ12≧γ13＞γ14）とあらかじめ設定されている。一般に、季節に応じて平均的な日照が異なる。日照が強ければ、分泌される皮脂量は多くなる傾向にあるので、補正パラメータの値を小さくする。逆に、日照が弱ければ、分泌される皮脂量は少なくなる傾向にあるので、補正パラメータの値を大きくする。そこで、一般的に日照が最も弱くなる冬に対して最も値の大きい補正パラメータγ11を設定し、日照が最も強くなる夏に対して最も値の小さい補正パラメータγ14を設定し、春と秋はその中間の値の補正パラメータγ12，γ13を設定している。
【００４６】
なお、季節要因に関して月ごとの変化を考慮する場合、例えば、定数ｂ，θと月のパラメータｍ（ｍ＝１〜１２）とを用いて、次の式によって季節に関する補正パラメータγ1を算出するようにしてもよい。
γ1＝ｂ・ｓｉｎ｛（２π／１２）ｍ＋θ｝
【００４７】
また、図４（ｂ）に示す地域に関する補正パラメータγ2は、環境データにより示される地域が関東より北の場合はγ21、関東より南の場合はγ22（ただし、γ21＞γ22）とあらかじめ設定されている。一般に、関東より北の地域は日照が弱めになるので値の大きい補正パラメータγ21を設定し、関東より南の地域は日照が強めになるので値の小さい補正パラメータγ22を設定している。なお、ここでは地域を南北に２分しているが、３つ以上の地域に分けてもよい。また、太平洋側の地域と日本海側の地域とに２分するようにしてもよい。
【００４８】
また、図４（ｃ）に示す気温に関する補正パラメータω1は、環境データにより示される気温に応じて、ω11，ω12，ω13，ω14，ω15（ただし、ω11＞ω12＞ω13＞ω14＞ω15）と５つの値があらかじめ設定されている。気温が高ければ、分泌される皮脂量は多くなる傾向にあるので、補正パラメータの値を小さくする。逆に、気温が低ければ、分泌される皮脂量は少なくなる傾向にあるので、補正パラメータの値を大きくする。
【００４９】
また、図４（ｄ）に示す湿度に関する補正パラメータω2は、環境データにより示される湿度に応じて、ω21，ω22，ω23，ω24，ω25（ただし、ω21＞ω22＞ω23＞ω24＞ω25）と５つの値があらかじめ設定されている。湿度が大きければ、分泌される皮脂量は多くなる傾向にあるので、補正パラメータの値を小さくする。逆に、湿度が小さければ、分泌される皮脂量は少なくなる傾向にあるので、補正パラメータの値を大きくする。
【００５０】
また、図４（ｅ）に示す洗顔からの時間に関する補正パラメータω3は、環境データにより示される洗顔からの時間に応じて、ω31，ω32，ω33，ω34，ω35（ただし、ω31＞ω32＞ω33＞ω34＞ω35）と５つの値があらかじめ設定されている。洗顔からの時間が長ければ、分泌された皮脂量が皮膚表面に多く残っている傾向にあるので、補正パラメータの値を小さくする。逆に、洗顔からの時間が短ければ、分泌されて皮膚表面に残っている皮脂量がそれほど多くない傾向にあるので、補正パラメータの値を大きくする。
【００５１】
また、図４（ｆ）に示す日照に関する補正パラメータω4は、環境データにより示される日照（強い、弱い）に応じて、ω41，ω42（ただし、ω41＞ω42）と２つの値があらかじめ設定されている。
【００５２】
また、図４（ｇ）に示す食事に関する補正パラメータω5は、環境データにより示される食事（直近所定時間以内に脂っこいものを食べたか否か）に応じて、ω51，ω52（ただし、ω51＞ω52）と２つの値があらかじめ設定されている。脂っこいものを食べていれば、分泌される皮脂量は多くなる傾向にあるので、補正パラメータの値を小さくする。逆に、脂っこいものを食べていなければ、分泌される皮脂量は少なくなる傾向にあるので、補正パラメータの値を大きくする。
【００５３】
なお、ここでは脂っこいものを食べたか否かに応じて２つの補正パラメータω51，ω52を設定しているが、具体的にどのような食事をとったかに応じて、３つ以上の補正パラメータを設定するようにしてもよい。
【００５４】
肌状態分析部３２は、図３に示すような各補正パラメータα1，α2，β1〜β4のテーブルデータをあらかじめ記憶しており、分析要求受付部３１により受信された環境データに対応する補正パラメータαi（ｉ＝１，２），βｊ（ｊ＝１〜４）を当該テーブルデータから求め、式１に代入する。また、分析要求受付部３１により受信された測定データにより示される水分量Ｍmも式１に代入する。これにより、水分量の補正値Ｍtを算出する。
【００５５】
さらに、肌状態分析部３２は、水分量の補正値Ｍtと複数の閾値とを比較し、測定データにより表される肌状態の絶対値を段階評価値に置換する。例えば、水分量の補正値Ｍtと４つの閾値ｔｈ１〜ｔｈ４とを比較することにより、肌水分の状態を５段階評価する。例えば、水分量の補正値Ｍtが最も大きい閾値ｔｈ１よりも大きい場合は、水分量が最も多い状態を示すレベル１と評価する。逆に、水分量の補正値Ｍtが最も小さい閾値ｔｈ４よりも小さい場合は、水分量が最も少ない状態を示すレベル５と評価する。
【００５６】
同様に、肌状態分析部３２は、図４に示すような各補正パラメータγ1，γ2，ω1〜ω5のテーブルデータをあらかじめ記憶しており、分析要求受付部３１により受信された環境データに対応する補正パラメータγi（ｉ＝１，２），ωｊ（ｊ＝１〜５）を当該テーブルデータから求め、式２に代入する。また、分析要求受付部３１により受信された測定データにより示される油分量Ｓmも式２に代入する。これにより、油分量の補正値Ｓtを算出する。
【００５７】
さらに、肌状態分析部３２は、油分量の補正値Ｓtと複数の閾値とを比較し、測定データにより表される肌状態の絶対値を段階評価値に置換する。例えば、油分量の補正値Ｓtと４つの閾値ｔｈ１’〜ｔｈ４’とを比較することにより、肌油分の状態を５段階評価する。例えば、油分量の補正値Ｓtが最も大きい閾値ｔｈ１’よりも大きい場合は、油分量が最も多い状態を示すレベル１と評価する。逆に、油分量の補正値Ｓtが最も小さい閾値ｔｈ４’よりも小さい場合は、油分量が最も少ない状態を示すレベル５と評価する。
【００５８】
分析データ送信部３３は、肌状態分析部３２により分析された段階評価値（レベル１からレベル５のいずれかを示す値）を、分析データとして店舗端末２０に送信する。この分析データ送信部３３は、特許請求の範囲の分析結果出力部に相当する。すなわち、分析データ送信部３３は、肌状態分析部３２により分析された段階評価値を、店舗端末２０において肌状態の分析結果を表示させるために出力する。なお、分析データ送信部３３は、段階評価値とともに、肌状態分析部３２により算出された補正値Ｍt，Ｓtを送信するようにしてもよい。
【００５９】
上述したように、店舗端末２０の分析結果表示部２５は、分析データ受信部２４により受信された分析データに基づいて、肌状態の分析結果をディスプレイに表示させる。その表示方法として、様々な態様を適用することが可能である。例えば、表層水分、深層水分および油分のそれぞれに関する５段階評価の値を数値として表示することが可能である。あるいは、表層水分、深層水分および油分のそれぞれに関する５段階評価の値を三角形のレーダーチャートとして表示するようにしてもよい。
【００６０】
あるいは、図５に示すように、表層水分、深層水分および油分のそれぞれに関する５段階評価の結果を色分けまたはパターン分けして表示するようにしてもよい。図６は、５段階評価の結果を色分けまたはパターン分けして表示する場合の具体的な表示例を示す図である。図６の例では、表層水分、深層水分および油分のそれぞれに関する測定データ（水分測定器１０Ａおよび油分測定器１０Ｂにより測定された絶対値）を数値として表示するとともに、肌状態分析部３２による５段階評価の分析結果を背景の色分けまたはパターン分けとして表示している。
【００６１】
図６の例では、表層の水分量に関しては、測定データ（絶対値）が１４９で、その数値の背景色または背景パターンによって、相対的な段階評価値がレベル３であることが示されている。深層の水分量に関しては、測定データ（絶対値）が７２３で、その数値の背景色または背景パターンによって、相対的な段階評価値がレベル２であることが示されている。また、油分量に関しては、測定データ（絶対値）が１７５４で、その数値の背景色または背景パターンによって、相対的な段階評価値がレベル４であることが示されている。
【００６２】
以上詳しく説明したように、本実施形態の肌分析システムによれば、肌状態の測定時における環境によって変わり得る肌状態の測定データ（絶対値）が、そのときの環境データと複数の閾値とに基づいて相対評価値（レベル１〜５の何れか）に置換され、その相対評価値に基づいて肌状態の分析結果が表示される。このため、測定環境が考慮されていない測定データの絶対値だけでは分からない真の肌状態（そのときの環境によらず、顧客自身が元々の性質として持っている水分や油分の多さの程度）が、相対評価の結果として分かりやすく提示されることとなる。これにより、この提示を確認した店員が、測定時の環境を考慮に入れて分析した顧客の客観的な肌状態に基づいて、顧客に合った化粧品に関する適切なアドバイスを行うことができる。したがって、顧客は、店員からのアドバイスを受けながら、自分に合った化粧品を納得して選定することができる。
【００６３】
なお、上記実施形態では、長期環境データαおよび短期環境データβを用いた式１に従って水分量を補正し、長期環境データγおよび短期環境データωを用いた式２に従って油分量を補正する例について説明したが、補正式はこれに限定されない。例えば、短期環境データβ，ωだけを用いて、水分量および油分量をそれぞれ次の式３および式４に従って補正するようにしてもよい。
【００６４】
【数２】
2016146923.tif 000004
【００６５】
また、上記実施形態では、肌状態分析部３２が、環境データに基づいて測定データを補正する例について説明したが、本発明はこれに限定されない。例えば、肌状態分析部３２は、環境データに基づいて複数の閾値を補正し、補正された複数の閾値と測定データとを比較して、測定データにより表される肌状態の絶対値を段階評価値に置換するようにしてもよい。
【００６６】
一例として、肌状態分析部３２は、次の式５によって水分（表層水分および深層水分）に関する閾値の補正値Ｍt’を算出するとともに、式６によって油分に関する閾値の補正値Ｓt’を算出する。そして、算出した水分の補正値Ｍt’を水分の閾値Ｔｈ１〜Ｔｈ４にそれぞれ加算することによって閾値の補正を行う。また、算出した油分の補正値Ｓt’を油分の閾値Ｔｈ１’〜Ｔｈ４’にそれぞれ加算することによって閾値の補正を行う。
【００６７】
【数３】
2016146923.tif 000005
【００６８】
また、上記実施形態では、水分測定器１０Ａおよび油分測定器１０Ｂによる１回の測定データに基づいて肌状態の分析を行う例について説明したが、本発明はこれに限定されない。例えば、例えば、複数回の測定を行って、その平均値または中央値などを測定データとして肌状態の分析を行うようにしてもよい。
【００６９】
また、顧客の顔の複数箇所（例えば、ＴゾーンやＵゾーンに該当する複数箇所）について測定を行い、それぞれの測定データを用いて、測定箇所毎に肌状態の分析を行うようにしてもよい。この場合、分析の結果を測定箇所毎に表示する。例えば、図６に示したようなテーブル形式に従って、複数の測定箇所毎に分析の結果を表示するようにすることが可能である。
【００７０】
あるいは、図７に示すように、顔画像の上に複数の測定箇所を示すマーク７１を表示し、このマーク７１を段階評価値に応じて色分けまたはパターン分けして表示することも可能である。この場合、それぞれの測定箇所において、測定データを合わせて表示するようにしてもよい。なお、図７の例は、表層水分の分析結果を示している。表層水分、深層水分、油分の分析結果は、切替ボタン７２の押下によって切り替えて表示させることが可能である。
【００７１】
また、上記実施形態では、店舗端末２０を用いる例について説明したが、本発明はこれに限定されない。例えば、店舗端末２０の代わりに顧客の端末（例えば、スマートフォン、タブレット端末など）を用いるようにしてもよい。
【００７２】
また、上記実施形態では、店舗端末２０から分析サーバ装置３０に肌状態の分析を要求し、分析サーバ装置３０において分析した結果を店舗端末２０に返す例について説明したが、本発明はこれに限定されない。例えば、分析サーバ装置３０を設けず、店舗端末２０において分析を行うスタンドアロン型として構成することも可能である。
【００７３】
図８は、店舗端末２０’において分析を行うスタンドアロン型の機能構成例を示す図である。図８に示すように、自身で肌状態の分析を行う店舗端末２０’は、その機能構成として、測定データ入力部２１、環境データ入力部２２、肌状態分析部３２、および分析結果表示部２５を備えて構成されている。この場合、測定データ入力部２１が特許請求の範囲の測定データ取得部に相当し、環境データ入力部２２が特許請求の範囲の環境データ取得部に相当する。また、肌状態分析部３２は、特許請求の範囲の肌状態分析部と分析結果出力部とに相当する。なお、環境データに関しては、インターネット等を介してサーバから取得するようにしてもよい。
【００７４】
また、上記実施形態では、肌状態分析部３２による５段階評価の分析結果と共に水分および油分の測定データ（測定値Ｍm，Ｓm））を表示する例について説明したが、本発明はこれに限定されない。例えば、肌状態分析部３２による５段階評価の分析結果と共に水分および油分の補正データ（補正値Ｍt，Ｓt）を表示するようにしてもよい。
【００７５】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００７６】
１０Ａ  水分測定器
１０Ｂ  油分測定器
２０，２０’  店舗端末
２１  測定データ入力部
２２  環境データ入力部
２３  分析要求部
２４  分析データ受信部
２５  分析結果表示部
３０  分析サーバ装置
３１  分析要求受付部
３２  肌状態分析部
３３  分析データ送信部  
【図１】
2016146923.tif 000006
【図２】
2016146923.tif 000007
【図３】
2016146923.tif 000008
【図４】
2016146923.tif 000009
【図５】
2016146923.tif 000010
【図６】
2016146923.tif 000011
【図７】
2016146923.tif 000012
【図８】
2016146923.tif 000013